(57)【要約】【課題】  電池の装填構造において、電池の装填時に発生する電気的な短絡を防止する。【解決手段】  制御基板７には、ボタン電池２の外周面（正極）に接触する第１の電池電極片２７とボタン電池２の底面（負極）に接触する第２の電池電極片２８とが取り付けられている。第２の電極板２８の端部の中央部には、切欠き２８ａが設けられており、この切欠き２８ａを挟む第２の電極部３０，３０の端部３０ａ，３０ａは下方に傾斜している。【選択図】  図３
2010129433.tif 000002
【特許請求の範囲】
【請求項１】
底面と外周面とのそれぞれが電極を形成する円盤状に形成された電池と、この電池を装填する電池装填部が内部に設けられたハウジングと、前記電池装填部に臨み電池の外周面と底面とのそれぞれに電気的に接触する第１および第２の電極片とを備え、前記電池の底面をハウジングの底面に沿って移動させることにより電池を電池装填部に装填する電池の装填構造において、
前記第２の電極片を前記電池の移動方向に延設し、電池の挿入方向側の端部を下方に傾斜させるとともに中央部に切欠きを設けたことを特徴とする電池の装填構造。
【発明の詳細な説明】
【技術分野】
【０００１】
本発明は、ボタン型電池やコイン型電池等のように円盤状に形成された電池の装填構造に関するものである。
【背景技術】
【０００２】
この種の電池の装填構造として、底面と外周面とのそれぞれに正・負の電極があり円盤状に形成された電池と、この電池を装填する電池装填部が内部に設けられたハウジングと、電池装填部に臨み電池の外周面と底面とのそれぞれに電気的に接触する第１および第２の電極片とを備え、電池の底面をハウジングの底面に沿って移動させることにより電池を電池装填部に装填するものがある（例えば、特許文献１参照）。
【特許文献１】特開２００４−１３４１９８号公報（段落〔００３０〕〜〔００３５〕、図１）
【発明の開示】
【発明が解決しようとする課題】
【０００３】
上述した従来の電池の装填構造においては、電池を電池装填部に装填する際に電池を斜め上方から傾けた状態で電池装填部内に挿入すると、電池の底面に電気的に接触する電池用電極片が電池の外周面にも瞬時ではあるが同時に接触して電気的な短絡を起こすおそれがあった。
【０００４】
本発明は上記した従来の問題に鑑みなされたものであり、その目的とするところは、電池の装填時に発生する電気的な短絡を防止した電池の装填構造を提供するところにある。
【課題を解決するための手段】
【０００５】
この目的を達成するために、本発明は、底面と外周面とのそれぞれが電極を形成する円盤状に形成された電池と、この電池を装填する電池装填部が内部に設けられたハウジングと、前記電池装填部に臨み電池の外周面と底面とのそれぞれに電気的に接触する第１および第２の電極片とを備え、前記電池の底面をハウジングの底面に沿って移動させることにより電池を電池装填部に装填する電池の装填構造において、前記第２の電極片を前記電池の移動方向に延設し、電池の挿入方向側の端部を下方に傾斜させるとともに中央部に切欠きを設けたものである。
【発明の効果】
【０００６】
本発明によれば、仮に電池を斜め上方から傾けた状態で電池装填部に挿入したとしても、電池の挿入端部が切欠きに臨むため、この切欠きが電池との接触を遅らせることによって、最初に電池の外周面と底面とが第１の電極片に同時に接触するまでの距離を充分に確保することができる。したがって、従来のように電池の装填時に発生していた電気的な短絡を確実に防止することができる。
【発明を実施するための最良の形態】
【０００７】
以下、本発明の実施の形態を図に基づいて説明する。図１は本発明に係る電池の装填構造を適用した人体通信送受信機を分解して示す斜視図、図２は同じく上ケースを取り外した状態を示す平面図、図３は同じく装填時における電池と電池用電極片との接触状態を説明するための制御基板の平面図、図４は図２における上ケースを取り付けた状態のIV-IV 線断面図であって、同図（Ａ）は電池の装填開始時を示し、同図（Ｂ）は装填が終了した状態を示す、図５は図２における上ケースを取り付けた状態のV-V 線断面図である。
【０００８】
図１に全体を符号１で示す人体通信送受信機は、円盤状のボタン電池２と、このボタン電池２を保持する電池ホルダー３と、ハウジング６を形成するプラスチックによって形成された下ケース４および上ケース５と、下ケース４に取り付けられた制御基板７と、下ケース４の底面に貼着された下パネル８と上ケース５の上面に貼着された上パネル９とによって概ね構成されている。
【０００９】
図４において、ボタン電池２の外周面１１は正極であり、底面１２は負極である。電池ホルダー３は、図１に示すように扁平な直方体に形成された把持部１４と、この把持部１４に一体に形成されボタン電池２の外周面１１を囲むリング状の保持部１５と、この保持部１５の下端部に水平方向に一体に突設されボタン電池２の外周面１１の周縁を載置する載置部１６とからなり、この載置部１６に載置されたボタン電池２の底面１２が臨む孔１７が設けられている。
【００１０】
下ケース４は、図１に示すように平板状に形成され、矢印Ｂ方向の端部に上ケース５とともに形成される電池挿入口２０が設けられており、この電池挿入口２０の両側には互いに対向するガイドリブ２１，２１が立設されている。下ケース４の電池挿入口２０に対する矢印Ａ方向側の部位には、電池挿入口２０から挿入されたボタン電池２を装填する電池装填部２２が設けられており、この電池装填部２２に対応して下ケース４には平面視Ｔ字状に形成された孔２３が設けられている。２４は下ケース４の周縁に立設された複数の係合片であって、上ケース５の係合突起（図示せず）が係合する係合孔２４ａが設けられている。
【００１１】
制御基板７の矢印Ｂ方向の端部には、図３に示すように略正方形の切欠き２６が設けられており、制御基板７は、図２に示すように、この切欠き２６が電池装填部２２に対応するように下ケース４に取り付けられている。２７は接点部２７ａが電池装填部２２に臨むように制御基板７に取り付けられた正極用電池電極片としての第１の電極片であって、接点部２７ａが電池装填部２２に装填されたボタン電池２の外周面１１に電気的に接触する。
【００１２】
２８は基部が制御基板７に取り付けられ、自由端部が電池挿入口２０側（矢印Ｂ方向）に延設された負極用電池電極片としての第２の電極片であって、矢印Ｂ方向側の端部の中央部に切欠き２８ａが設けられており、この切欠き２８ａを挟んで一対の第２の電極部３０，３０が形成されている。この第２の電極部３０の矢印Ｂ方向側の端部３０ａは矢印Ｂ方向に向かって図中下方側に傾斜するように折り曲げられ、この第２の電極部３０の矢印Ａ−Ｂ方向の中央部には、矢印Ａ方向に向かって図中上方側に傾斜するように折り曲げられ電池装填部２２に装填されたボタン電池２の底面１２に電気的に接触する接点部３０ｂが形成されている。
【００１３】
３１は切欠き２８ａ内に位置し第２の電極片２８の矢印Ａ−Ｂ方向の中央部から矢印Ｂ方向に一体に突設された接触片としての第３の電極片であって、図４に示すように矢印Ｂ方向に向かって下方に傾斜するように折り曲げられており、この第３の電極片３１は下ケース４の孔２３に臨み後述する負極用アンテナ基板４１に電気的に接触する。図２において、３３は制御基板７の矢印Ａ方向側に取り付けられた第４の電極片であって、上ケース５の後述する孔３８に臨み正極用アンテナ基板４２に電気的に接触する。３４は制御基板７の矢印Ａ方向の端部に取り付けられたスイッチであって、操作部材３５を介して操作することにより人体通信送受信機１がＯＮ、ＯＦＦされる。
【００１４】
上ケース５は、図１に示すように矢印Ｂ方向に開口（電池挿入口２０）が形成された囲い壁３７が一体に設けられており、この囲い壁３７には、上述した下ケース４の係合片２４の係合孔２４ａに係合する係合突起（図示せず）が設けられている。３８は上ケース５に設けられた孔であって、この孔３８内に上述した第４の電極片３３が臨む。下パネル８の上面には、フィルム状の銅板によって形成された負極用アンテナ基板４１が貼着されている。上パネル９の下面には、フィルム状の銅板によって形成された正極用アンテナ基板４２が貼着されている。これら負極用アンテナ基板４１および正極用アンテナ基板４２は互いに対向し、第２の電極片２８または第１の電極片２７を介してボタン電池２の負極または正極に接続されており、ボタン電池２から電力を供給されることにより、人体に電界を発生させる。
【００１５】
このような構成において、制御基板７を下ケース４上に取り付け、上ケース５を下ケース４に取り付けてハウジング６を構成することにより、下ケース４と上ケース５との間に電池挿入口２０に連通された電池装填部２２が形成される。上パネル９を上ケース５の上面に、下パネル８を下ケース４の下面にそれぞれ貼着し、電池ホルダー３のボタン電池２が保持された保持部１５を電池挿入口２０から挿入し電池装填部２２に装填した後、ねじ４４によって電池ホルダー３を締結する。
【００１６】
このように、負極用アンテナ基板４１に電気的に接触する第３の電極片３１を第２の電極片２８に一体に形成したことにより、この第３の電極片３１を制御基板７に取り付ける工数を省略することができ、部品点数も削減することができる。
【００１７】
また、ボタン電池２を電池装填部２２に装填する際に、図４（Ａ）に示すように、仮にボタン電池２が傾いていたとしても、第２の電極片２８の端部に切欠き２８ａが設けられているため、図３に示すように最初にボタン電池２の挿入端部２ａが切欠き２８ａに臨む。このため、この切欠き２８ａがボタン電池２との接触を遅らせることによって、最初にボタン電池２の外周面１１と底面１２とが第１の電極部３０に同時に接触するまでの距離δを充分に確保することができる。したがって、ボタン電池２の装填時に発生していた電気的な短絡を防止することができる。
【００１８】
また、第３の電極片３１を第２の電極片２８の切欠き２８ａ内のスペースを利用して形成したことにより、第３の電極片３１の形成が容易で、省スペース化を図ることができる。
【図面の簡単な説明】
【００１９】
【図１】本発明に係る電池の装填構造を適用した人体通信送受信機を分解して示す斜視図である。
【図２】本発明に係る電池の装填構造を適用した人体通信送受信機において、上ケースを取り外した状態を示す平面図である。
【図３】本発明に係る電池の装填構造を適用した人体通信送受信機において、装填時における電池と電池用電極片との接触状態を説明するための制御基板の平面図である。
【図４】図２における上ケースを取り付けた状態のIV-IV 線断面図であって、同図（Ａ）は電池の装填開始時を示し、同図（Ｂ）は装填が終了した状態を示す。
【図５】図２における上ケースを取り付けた状態のV-V 線断面図である。
【符号の説明】
【００２０】
１…人体通信送受信機、２…電池、３…電池ホルダー、４…下ケース、５…上ケース、６…ハウジング、７…制御基板、８…下パネル、９…上パネル、１１…外周面（正極）、１２…底面（負極）、２０…電池挿入口、２２…電池装填部、２７…第１の電極片（正極用電池電極片）、２８…第２の電極片（負極用電池電極片）、２８ａ…切欠き、３１…第３の電極片（接触片）、３３…第３の電極片、４１…負極用アンテナ基板、４２…正極用アンテナ基板。
【図１】
2010129433.tif 000003
【図２】
2010129433.tif 000004
【図３】
2010129433.tif 000005
【図４】
2010129433.tif 000006
【図５】
2010129433.tif 000007